(57)【要約】      （修正有）【課題】除菌や消臭効果を備えた照明具を提供する。【解決手段】火袋１２０と、光源Ｌとを備えた照明具１００であって、火袋１２０の内部には、光源Ｌが配置されており、火袋１２０には、光触媒が塗布されている。【選択図】図１
0003227072.tif 000002
【実用新案登録請求の範囲】
【請求項１】
火袋と、光源とを備えた照明具であって、
前記火袋の内部には、前記光源が配置されており、
前記火袋には、光触媒が塗布されていることを特徴とする照明具。
【請求項２】
火袋と、光源とを備えた照明具であって、
前記火袋の内部には、前記光源が配置されており、
前記火袋は、光触媒を含んだ素材から構成されていることを特徴とする照明具。
【考案の詳細な説明】
【技術分野】
【０００１】
本考案は、屋外や屋内で使用される提灯、行灯、ぼんぼり等の照明具に関するものである。
【背景技術】
【０００２】
従来から、提灯、行灯、ぼんぼり等の照明具は屋外や屋内で使用されており、いずれも、電球、ろうそくやＬＥＤ等の光源と、当該光源を囲むように配置された火袋とから構成されている。そして、照明具は、電球等の光源によって、周囲を明るく照らしていた。また、近年では、周囲を明るく照らすだけでなく、健康を保ち人が快適に暮らせるように、空気の除菌や消臭等を行うことが期待されている。
【考案の概要】
【考案が解決しようとする課題】
【０００３】
そこで、本考案は、除菌や消臭効果を備えた照明具を提供するものである。
【課題を解決するための手段】
【０００４】
上記課題を解決するために、本考案の照明具は、火袋と、光源とを備えた照明具であって、前記火袋の内部には、前記光源が配置されており、前記火袋には、光触媒が塗布されていることを特徴とする。
【０００５】
また、上記課題を解決するために、本考案の照明具は、火袋と、光源とを備えた照明具であって、前記火袋の内部には、前記光源が配置されており、前記火袋は、光触媒を含んだ素材から構成されていることを特徴とする。
【０００６】
当該特徴によれば、光触媒が塗布された火袋又は光触媒を含んだ素材から構成される火袋が、内側の光源の光に照らされるので、高い除菌効果や消臭効果を発揮することができる。特に、火袋の光触媒は、照明具自身の光源の光によって反応することができるので、照明具が設置される環境（屋内の照明器具の明るさや、屋外の太陽の光の強さ等）に左右されず、照明具自身の光源が点灯している限り、除菌効果や消臭効果を安定して発揮することができるのである。
【考案の効果】
【０００７】
上記の本考案によれば、除菌や消臭効果等を備える照明具を提供できる。
【図面の簡単な説明】
【０００８】
【図１】本考案に係る自立型の提灯の態様をした照明具を示すもので、図１（ａ）は照明具の全体斜視図、図１（ｂ）は照明具の平面図である。
【図２】本考案に係る行灯の態様をした照明具を示すもので、図２（ａ）は照明具の全体斜視図、図２（ｂ）は照明具の平面図である。
【図３】本考案に係る雪洞の態様をした照明具を示すもので、図３（ａ）は照明具の全体斜視図、図３（ｂ）は照明具の平面図である。
【符号の説明】
【０００９】
１００        照明具
１２０        火袋
２００        照明具
２１０        火袋
３００        照明具
３１０        火袋
Ｌ            光源
【考案を実施するための形態】
【００１０】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１１】
図１は、本考案に係る自立型の提灯の態様をした照明具１００を示すもので、図１（ａ）は照明具１００の全体斜視図、図１（ｂ）は照明具１００の平面図である。
【００１２】
図１に示すように、照明具１００は、光源Ｌを備える基部１１０と、当該光源Ｌを囲むように配置され、上端が開口した筒型の火袋１２０とを備える。この火袋１２０の下端１２１は基部１１０に固定されており、火袋１２０が基部１１０上で立設した状態となっている。また、光源Ｌは、電球、ろうそく、ＬＥＤ等の任意のものを利用することができる。なお、電球やＬＥＤ等を光源Ｌとして利用する場合は、その光源Ｌに電力を供給するために、基部１１０に、電池を内蔵したり、家庭用コンセント等に接続できる電源コードを設けてもよい。
【００１３】
そして、火袋１２０は、透光性（光を通す性質）を有する紙製（特に、和紙が好ましい）の素材から構成されているので、火袋１２０の内側で点灯している光源Ｌの光が、火袋１２０を介して周囲に拡散され、照明具１００周辺の空間が柔らかい光で照らされる。また、火袋１２０の表面には、光触媒が塗布されているので、火袋１２０の内側で点灯している光源Ｌの光が、火袋１２０の表面の光触媒に当たるのである。そして、その火袋１２０に含まれる光触媒が、光源Ｌの光に反応して、除菌効果（ウィルス除去も含まれる）や消臭効果を発揮するのである。また、光触媒は、光に反応して、強い酸化力と超親水性を備えるので、火袋１２０の表面が汚れにくくなる効果も発揮する。なお、火袋１２０は光源Ｌからの光だけでなく、照明具１００が設置された周囲からの光（例えば、屋内の照明器具からの光や、屋外からの太陽の光）にも反応し、除菌効果（ウィルス除去も含まれる）や消臭効果等を発揮することもできる。
【００１４】
次に、図２は、本考案に係る行灯の態様をした照明具２００を示すもので、図２（ａ）は照明具２００の全体斜視図、図２（ｂ）は照明具２００の平面図である。
【００１５】
図２に示すように、照明具２００は、透光性（光を通す性質）を有する紙製（特に、和紙が好ましい）の素材から構成される火袋２１０と、火袋２１０の内部に配置された光源Ｌとを備える。この火袋２１０は、上端２２０と下端２３０とが開口している円筒形状をしており、下端２３０の開口は底部２４０によって閉じられている。この底部２４０には光源Ｌが固定されており、光源Ｌが火袋２１０内部に配置されるようになっている。また、光源Ｌは、電球、ろうそく、ＬＥＤ等の任意のものを利用することができる。なお、電球やＬＥＤ等を光源Ｌとして利用する場合は、その光源Ｌに電力を供給するために、底部２４０に、電池を内蔵したり、家庭用コンセント等に接続できる電源コードを設けてもよい。
【００１６】
また、上端２２０に略コ字状の係止部２４１を備えており、この係止部２４１を建物等の一部に係止させることで、照明具２００を吊り下げるように設置することが出来る。また、これに限定されず、係止部２４１を手で持って利用してもよい。
【００１７】
そして、火袋２１０は、透光性（光を通す性質）を有する紙製（特に、和紙が好ましい）の素材から構成されているので、火袋２１０の内側で点灯している光源Ｌの光が、火袋２１０を介して周囲に拡散され、照明具２００周辺の空間が柔らかい光で照らされる。また、火袋２１０の表面には、光触媒が塗布されているので、火袋２１０の内側で点灯している光源Ｌの光が、火袋２１０の表面の光触媒に当たるのである。そして、その火袋２１０に含まれる光触媒が、光源Ｌの光に反応して、除菌効果（ウィルス除去も含まれる）や消臭効果を発揮するのである。また、光触媒は、光に反応して、強い酸化力と超親水性を備えるので、火袋２１０の表面が汚れにくくなる効果も発揮する。なお、火袋２１０は光源Ｌからの光だけでなく、照明具２００が設置された周囲からの光（例えば、屋内の照明器具からの光や、屋外からの太陽の光）にも反応し、除菌効果（ウィルス除去も含まれる）や消臭効果等を発揮することもできる。
【００１８】
次に、図３は、本考案に係る雪洞の態様をした照明具３００を示すもので、図３（ａ）は照明具３００の全体斜視図、図３（ｂ）は照明具３００の平面図である。
【００１９】
図３に示すように、照明具３００は、透光性（光を通す性質）を有する素材（和紙や布など）から構成される火袋３１０と、火袋３１０の内部に配置された光源Ｌとを備える。この火袋３１０は、上端３２０が開口し、下端３３０が脚部３４０によって固定されている。この脚部３４０には光源Ｌが固定されており、光源Ｌが火袋３１０内部に配置されるようになっている。また、光源Ｌは、電球、ろうそく、ＬＥＤ等の任意のものを利用することができる。なお、電球やＬＥＤ等を光源Ｌとして利用する場合は、その光源Ｌに電力を供給するために、脚部３４０に、電池を内蔵したり、家庭用コンセント等に接続できる電源コードを設けてもよい。
【００２０】
そして、火袋３１０は、透光性（光を通す性質）を有する素材（和紙や布など）から構成されているので、火袋３１０の内側で点灯している光源Ｌの光が、火袋３１０を介して周囲に拡散され、照明具３００周辺の空間が柔らかい光で照らされる。また、火袋３１０の表面（又は、内面）には、光触媒が塗布されているので、火袋３１０の内側で点灯している光源Ｌの光が、火袋３１０の表面（又は、内面）の光触媒に当たるのである。そして、その火袋３１０に含まれる光触媒が、光源Ｌの光に反応して、除菌効果（ウィルス除去も含まれる）や消臭効果を発揮するのである。また、光触媒は、光に反応して、強い酸化力と超親水性を備えるので、火袋３１０の表面（又は、内面）が汚れにくくなる効果も発揮する。なお、火袋３１０は光源Ｌからの光だけでなく、照明具３００が設置された周囲からの光（例えば、屋内の照明器具からの光や、屋外からの太陽の光）にも反応し、除菌効果（ウィルス除去も含まれる）や消臭効果等を発揮することもできる。
【００２１】
なお、図１に示す照明具１００の火袋１２０、図２に示す照明具２００の火袋２１０、及び図３に示す照明具３００の火袋３１０は、光触媒を塗布しても火袋の形が崩れないように強度が保たれるような素材から構成されており、火袋の形が崩れないように強度が保たれるのであれば、火袋には、布や樹脂やその他の任意の素材を利用してもよい。また、火袋は、図１から図３に示す態様に限定されず、光源Ｌを囲む構造であれば、どのような態様であってもよい。また、光触媒は、任意の光触媒を利用することができるが、火袋の内側の光源Ｌからの比較的弱い光でも良好に反応できるように、可視光応答型光触媒を用いるのが好ましい。
【００２２】
また、火袋では表面（又は、内面、又は、表面と内面の両方）に光触媒を塗布しているが（例えば、スプレー等で火袋に光触媒を塗布している）、これに限定されず、例えば、火袋を光触媒が溶け込んだ透光性を備えた樹脂等で形成するなど、火袋を構成する素材自体に光触媒が含まれていてもよい。そして、光触媒を含んだ素材から構成される火袋は、光源Ｌの光に当たると、除菌効果や消臭効果を発揮し、また、強い酸化力と超親水性を備えるので、火袋の表面が汚れにくくなる効果も発揮する。
【００２３】
このように、本考案の照明具によれば、光触媒が塗布された火袋又は光触媒を含んだ素材から構成される火袋が、内側の光源の光に照らされるので、高い除菌効果や消臭効果を発揮することができる。特に、火袋の光触媒は、照明具自身の光源の光によって反応することができるので、照明具が設置される環境（屋内の照明器具の明るさや、屋外の太陽の光の強さ等）に左右されず、照明具自身の光源が点灯している限り、除菌効果や消臭効果を安定して発揮することができるのである。
【００２４】
なお、本考案の照明具は、上記の実施例に限定されず、実用新案登録請求の範囲に記載された範囲、実施形態の範囲で、種々の変形例、組み合わせが可能であり、これらの変形例、組み合わせも本考案の範囲に含むものである。また、本考案の照明具は、提灯、行灯、ぼんぼり等に限定されず、火袋と、その内部の光源とを備えるのであれば、任意の態様であってもよい。
【図１】
0003227072.tif 000003
【図２】
0003227072.tif 000004
【図３】
0003227072.tif 000005